(57)【要約】【課題】板部材の挿入によって解錠されることがないようにセキュリティーを向上させたキーハンドル抜き差し型扉用ロックハンドル装置を提供する。【解決手段】取付フランジ４に形成した錠前収容部３２に錠前ユニット３４を収容固定し、固定ケース３７に形成したガイド溝６７にロック板４０を収容し、ロータ３９の後端部の偏心カム突起５５をロック板４０のカム溝５６に係合させ、ロータ３９の施錠方向への回転操作によって、ロック板４０の屈曲板部７０を、取付フランジ４のロック受溝４５と連結フランジ５のロック受孔５７に係合させる一方、ロータ３９の解錠方向への回転操作によって、ロック板４０の屈曲板部７０を、固定ケース３７の待機溝６１と取付フランジ４の待機孔６２に係合させる。【選択図】図５
2008075248.tif 000002
【特許請求の範囲】
【請求項１】
扉パネル１に固着される受座本体２と、前記受座本体２に回転可能に支持される施錠軸３と、前記受座本体２の前端に突設された取付フランジ４と、前記施錠軸３の前端に突設され、挿入口３３を側面に設けた連結フランジ５と、前記挿入口３３より前記連結フランジ５の後端面に形成したハンドル係脱溝６に作動突子８が着脱自在に挿入されるキ−ハンドル７と、前記取付フランジ４の前端面の凹部９に回転不能に嵌め込まれ、前記ハンドル係脱溝６に係合自在な突出部１２をその前端面に設けた錠止部材１０と、前記凹部９の内底面と前記錠止部材１０の後端面間に挿入された圧縮コイルバネ１１とから成り、
前記挿入口３３の入口部中央に邪魔突子１４と切欠凹部１５を設け、前記切欠凹部１５に整列する窪み部１６を前記取付フランジ４の外周隆起部４７に設け、前記作動突子８の前面中央部に前記邪魔突子１４が嵌り込む溝１９を縦長に設け、前記切欠凹部１５と前記窪み部１６を通過する抜止め突子２０が前記作動突子８の背面側に設けられ、前記作動突子８を前記ハンドル係脱溝６に所定長さ挿入したとき、前記圧縮コイルバネ１１の摺動付勢に抗して錠止部材１０の前記突出部１２が前記凹部９内に後退するようにしたキーハンドル抜き差し型扉用ロックハンドル装置において、
前記取付フランジ４の背面側に錠前収容部３２を形成し、前記錠前収容部３２に背面側から収容した錠前ユニット３４の固定ケース３７を固定ビス５３によって前記取付フランジ４に固着し、前記固定ケース３７に回転可能に収容したロータ３９の後端部に偏心カム突起５５を設け、前記固定ケース３７の後端部に横断方向に形成したガイド溝６７にロック板４０を収容し、前記ロック板４０の交差方向のカム溝５６に前記偏心カム突起５５を係合させ、
前記錠前ユニット３４の内部錠機構によって前記ロータ３９を前記固定ケース３７に対して回転不能に錠止したとき、前記ロック板４０の屈曲板部７０が係合するロック受溝４５を前記取付フランジ４に形成し、前記錠前ユニット３４の内部錠機構によって前記ロータ３９を前記固定ケース３７に対して回転不能に錠止したとき、前記ロック板４０の前記屈曲板部７０が係合するロック受孔５７を前記連結フランジ５の側面に形成し、
前記錠前ユニットの内部錠機構による前記ロータ３９の前記錠止を解除したとき、前記ロック板４０の屈曲板部７０が係合する待機溝６１を前記固定ケース３７の側面に形成し、前記錠前ユニットの内部錠機構による前記ロータ３９の前記錠止を解除したとき、前記ロック板４０の前記屈曲板部７０が係合する待機孔６２を前記取付フランジ４の側面に形成してあることを特徴とするキーハンドル抜き差し型扉用ロックハンドル装置。
【発明の詳細な説明】
【技術分野】
【０００１】
本発明は、扉の開閉操作に使用されるキーハンドルの正逆回転により、これと連結された施錠軸を回転させて扉の解施錠を行ない、施錠時には前記キーハンドルを施錠軸から取外して置くことができ、前記キーハンドルの取外しによって施錠軸が受座本体に対して自動的に錠止される一方、前記キーハンドルの挿入によって前記錠止が直ちに解除されるキーハンドル抜き差し型扉用ロックハンドル装置に関するものである。
【背景技術】
【０００２】
従来のキーハンドル抜き差し型扉用ロックハンドル装置は、扉パネルに固着される受座本体と、前記受座本体に回転可能に支持される施錠軸と、前記受座本体の前端に突設された取付フランジと、前記施錠軸の前端に突設され、挿入口を設けた連結フランジと、前記挿入口より前記連結フランジの後端面のハンドル係脱溝に作動突子が着脱自在に挿入されるキ−ハンドルと、前記取付フランジの前端面の凹部に回転不能に嵌め込まれ、前記ハンドル係脱溝に係合自在な突出部をその前端面に設けた錠止部材と、前記凹部の内底面と前記部材の後端面間に挿入された圧縮コイルバネとから成り、前記挿入口に切欠凹部を設け、前記切欠凹部に整列する窪み部を取付フランジの外周隆起部に設け、前記キ−ハンドルの前記作動突子の背面に前記切欠凹部と前記窪み部を通過する抜止め突子を設けたものである（特許文献１参照）。
【０００３】
前記キーハンドル抜き差し型扉用ロックハンドル装置では、施錠軸の先端部に固着した止め金板が固定枠体側の受金部に係合した施錠位置にあるときには、前記取付フランジの前記凹部と前記連結フランジの前記ハンドル係脱溝は互いに整合した位置にある。そのため、前記キ−ハンドルを前記連結フランジから抜き取った時には、前記錠止部材が前記圧縮コイルバネの付勢によって前進摺動し、その前面突出部が前記ハンドル係脱溝に入り込むため、前記施錠軸は前記受座本体に対して回転不能に錠止される。
【０００４】
解錠に当たって、前記キ−ハンドルを前記連結フランジの前記挿入口より前記ハンドル係脱溝に挿入すると、前記キーハンドルの前記抜止め突子が前記連結フランジの前記切欠凹部と前記取付フランジの前記窪みを通過する。
このようにして前記キーハンドルが所定深さまで挿入されるとき、前記作動突子の先端が前記錠止部材の前記前面突出部の傾斜カム面を押すため、前記錠止部材は前記圧縮コイルバネの付勢に抗して後退し、前記前面突出部は前記連結フランジの前記ハンドル係脱溝から脱出して前記取付フランジの前記凹部に没入する。これによって前記施錠軸は前記受座本体に対する錠止を解かれ、前記連結フランジと係合している前記キ−ハンドルを回すことによって、前記施錠軸は解錠位置へと回転操作されることになる。
また、回転操作を行なうと、前記連結フランジの前記切欠凹部と前記取付フランジの前記窪み部が整列せず、前記連結フランジの切欠凹部は前記取付フランジの前記外周隆起部によって閉鎖される。この状態では、前記抜け止め突子が前記外周隆起部の内面に当接するため、前記キ−ハンドルは前記挿入口から抜き取ることができない。
【０００５】
しかしながら従来のキーハンドル抜き差し型扉用ロックハンドル装置では、前記キ−ハンドルを前記連結フランジから抜き取ったときに、前記錠止部材が前記圧縮コイルバネの付勢によって前進摺動し、前記前面突出部が前記ハンドル係脱溝に入り込むことによって、前記施錠軸が前記受座本体に対して回転不能に錠止される施錠機構を採用しているため、前記キーハンドルの前記作動突子の形態に近似した板部材を前記挿入口から挿し込むことによって、前記錠止部材を前記凹部内に後退させることによって、比較的困難性なく施錠を解かれてしまうことがある。高度のセキュリティーを必要としない通常の用途では、従来装置でも十分通用するのであるが、近時においてはユーザーは高いセキュリティーを求める傾向にある。
【０００６】
【特許文献１】実公平２−２３７２６号公報
【発明の開示】
【発明が解決しようとする課題】
【０００７】
本発明の課題は、前記したような板部材の挿入によって解錠されることがないようにセキュリティーを向上させたキーハンドル抜き差し型扉用ロックハンドル装置を提供することである。
【課題を解決するための手段】
【０００８】
本発明の特徴は、扉パネル１に固着される受座本体２と、前記受座本体２に回転可能に支持される施錠軸３と、前記受座本体２の前端に突設された取付フランジ４と、前記施錠軸３の前端に突設され、挿入口３３を側面に設けた連結フランジ５と、前記挿入口３３より前記連結フランジ５の後端面に形成したハンドル係脱溝６に作動突子８が着脱自在に挿入されるキ−ハンドル７と、前記取付フランジ４の前端面の凹部９に回転不能に嵌め込まれ、前記ハンドル係脱溝６に係合自在な突出部１２をその前端面に設けた錠止部材１０と、前記凹部９の内底面と前記錠止部材１０の後端面間に挿入された圧縮コイルバネ１１とから成り、
前記挿入口３３の入口部中央に邪魔突子１４と切欠凹部１５を設け、前記切欠凹部１５に整列する窪み部１６を前記取付フランジ４の外周隆起部４７に設け、前記作動突子８の前面中央部に前記邪魔突子１４が嵌り込む溝１９を縦長に設け、前記切欠凹部１５と前記窪み部１６を通過する抜止め突子２０が前記作動突子８の背面側に設けられ、前記作動突子８を前記ハンドル係脱溝６に所定長さ挿入したとき、前記圧縮コイルバネ１１の摺動付勢に抗して錠止部材１０の前記突出部１２が前記凹部９内に後退するようにしたキーハンドル抜き差し型扉用ロックハンドル装置において、
前記取付フランジ４の背面側に錠前収容部３２を形成し、前記錠前収容部３２に背面側から収容した錠前ユニット３４の固定ケース３７を固定ビス５３によって前記取付フランジ４に固着し、前記固定ケース３７に回転可能に収容したロータ３９の後端部に偏心カム突起５５を設け、前記固定ケース３７の後端部に横断方向に形成したガイド溝６７にロック板４０を収容し、前記ロック板４０の交差方向のカム溝５６に前記偏心カム突起５５を係合させ、
前記錠前ユニット３４の内部錠機構によって前記ロータ３９を前記固定ケース３７に対して回転不能に錠止したとき、前記ロック板４０の屈曲板部７０が係合するロック受溝４５を前記取付フランジ４に形成し、前記錠前ユニット３４の内部錠機構によって前記ロータ３９を前記固定ケース３７に対して回転不能に錠止したとき、前記ロック板４０の前記屈曲板部７０が係合するロック受孔５７を前記連結フランジ５の側面に形成し、
前記錠前ユニットの内部錠機構による前記ロータ３９の前記錠止を解除したとき、前記ロック板４０の屈曲板部７０が係合する待機溝６１を前記固定ケース３７の側面に形成し、前記錠前ユニットの内部錠機構による前記ロータ３９の前記錠止を解除したとき、前記ロック板４０の前記屈曲板部７０が係合する待機孔６２を前記取付フランジ４の側面に形成してあることである。
【発明の効果】
【０００９】
本発明では、前記取付フランジ４に形成した錠前収容部３２に錠前ユニット３４を収容固定し、前記固定ケース３７に形成したガイド溝６７にロック板４０を収容し、前記錠前ユニット３４のロータ３９の後端部に設けた偏心カム突起５５を前記ロック板４０の交差方向のカム溝５６に係合させ、前記ロータ３９の施錠方向への回転操作によって、前記ロック板４０の屈曲板部７０を、前記取付フランジ４に形成したロック受溝４５と前記連結フランジ５に形成した前記ロック受孔５７に係合させる一方、前記ロータ３９の解錠方向への回転操作によって、前記ロック板４０の屈曲板部７０を、前記固定ケース３７に形成した前記待機溝６１と前記取付フランジ４に形成した待機孔６２に係合させるようにしたので、前記挿入口３３に前記キーハンドルの前記作動突子に近似した板部材を挿し込んでも、前記錠前ユニット３４に対応した正規の鍵を保有しなければ、前記ロータ３９を解錠して回転させることができないため、キーハンドル抜き差し型扉用ハンドル装置のセキュリティーが大幅に向上する。
【００１０】
また、本発明では、錠前部は錠前ユニット３４としてユニット化されており、この錠前ユニット３４は取付フランジ４の錠前収容部３２に背面側から挿入され、背面側から捻じ込まれる固定ビス５３によって取付フランジ４に固着されているため、扉用ロックハンドル装置の正面側や側面側からの抜き取り工作に対して安全性が確保されている。また、鍵の紛失等に対応して錠前ユニット３４を交換するときの作業が、背面側から容易に行える。
【実施例】
【００１１】
図示した実施例のキーハンドル抜き差し型扉用ロックハンドル装置では、施錠軸３の先端部に固着した止め金板１４が固定枠体側の受金部（図示していない）に係合し、扉パネル１が施錠状態にあるときには、取付フランジ４の凹部９と連結フランジ５のハンドル係脱溝６は互いに整合した位置にある。そのため、キ−ハンドル７の作動突子８をハンドル係脱溝６から抜き取った時には、図５に示したように錠止部材１０が圧縮コイルバネ１１の付勢によって前進摺動し、前面突出部１２がハンドル係脱溝６に入り込むため、連結フランジ５と施錠軸３は、錠止部材１０の媒介によって受座本体２に対して回転不能に錠止される。錠止部材１０の主体部分は取付フランジ４の凹部９に回転不能に係合したままである。
【００１２】
この段階で錠前ユニット３４のロータ３９の鍵孔５４に正規の鍵（図示していない）を挿入し、内部錠機構を鍵で駆動して固定ケース３７に対するロータ３９の錠止を解除し、ロータ３９を所定角度施錠方向に回転させると、ロータ３９の偏心カム突起５５とロック板４０のカム溝５６との協働作用によって、ロック板４０が固定ケース３７のガイド溝６７に添って下方にスライドし（図５の鎖線位置）、ロック板４０の屈曲板部７０が取付フランジ４のロック受溝４５と連結フランジ５のロック受孔５７に係合するので、施錠軸３は前記錠止部材１０に加えて、ロック板４０の媒介によっても受座本体２に対して回転不能に錠止されることになる。
【００１３】
他方、図３６に示したようにキ−ハンドル７を連結フランジ５の挿入口３３よりハンドル係脱溝６に挿入すると、連結フランジ５の邪魔突子１４が作動突子８の前面溝１９に嵌り込み、作動突子８の抜け止め突子２０が連結フランジ５の切欠凹部１５と取付フランジ４の窪み部１６を通過する。キーハンドル７を所定深さまで挿入すると、作動突子８の先端が前面突出部１２の傾斜カム面を押すため、錠止部材１０は圧縮コイルバネ１１の付勢に抗して後退し、錠止部材１０の突出部１２は取付フランジ４の凹部９内に没入する。これによって施錠軸３は、錠止部材１０を媒介とする受座本体２に対する錠止を解除される。
【００１４】
この段階で錠前ユニット３４のロータ３９の鍵孔５４に正規の鍵（図示していない）を挿入し、内部錠機構を鍵で駆動して固定ケース３７に対するロータ３９の錠止を解除し、ロータ３９を所定角度解錠方向に回転させると、ロータ３９の偏心カム突起５５とロック板４０のカム溝５６との協働作用によって、ロック板４０が固定ケース３７のガイド溝６７に添って上方にスライドし（図３６の実線位置）、ロック板４０の屈曲板部７０が取付フランジ４のロック受溝４５と連結フランジ５のロック受孔５７から脱出して、固定ケース３７の待機溝６１と取付フランジ４の待機孔６２に係合するので、施錠軸３のロック板４０を媒介とする受座本体２に対する錠止が解除される。
【００１５】
図１に示したように連結フランジ５と係合しているキ−ハンドル７を解錠方向に回すと、連結フランジ５の切欠凹部１５と取付フランジ４の窪み部１６が整列しない位置に来ることになり、連結フランジ５の切欠凹部１５は取付フランジ４の外周隆起部４７によって閉鎖される。そのため、キーハンドル７は抜け止め突子２０が外周隆起部４７に当接することによって抜き取りを阻止される。
解錠位置から施錠位置へとキ−ハンドル７を戻し回転させ、図１に示したようにキーハンドル７を縦長に配置したとき、作動突子８の前面中央部に設けた溝１９の末端部は、連結フランジ５の円筒形周壁４３の真下位置に置かれることになり、このとき連結フランジ５のハンドル係脱溝６と取付フランジ４の凹部９が整合した位置に戻されている。
【００１６】
図示の実施例では、連結フランジ５のハンドル係脱溝６の内底面には邪魔突子１３と邪魔隆起部１７を設けてあり、切欠凹部１５は前記挿入口３３の中央部の邪魔突子１４と対面させて設けてある。キ−ハンドル７の作動突子８の前面側には、前記邪魔突子１３，１４が嵌り込む溝１８，１９と、邪魔隆起部１７が嵌り込む溝２１を設けてある。抜止め突子２０は作動突子８の根本部の背面中央部に設けられている。取付フランジ４の後端面には回り止め用突起部４８を上下一対に設けてあり、扉パネル１には突起部４８が嵌められる>
透孔２４と、受座本体２が嵌められる透孔２５を設けてある。取付フランジ４と扉パネル１の間には弾力性部材より成るシ−ト２３が挿入され、シート２３には受座本体２が嵌められる透孔２２と、前記突起部４８が嵌められる透孔５２を設けてある。
【００１７】
受座本体２は外周ねじ部に螺合したナット２７によって扉パネル１に締付け固着され、扉パネル１の後面とナット２７の間にはスプリングワッシャ−２６が挿入されている。受座本体２の軸孔２８には施錠軸３が嵌挿され、施錠軸３の先端角軸部の付け根に設けられた環状溝２９に抜止め用Ｃ−リング３０が嵌められている。前記先端角軸部には止め金板１４が嵌合され、ボルト３１によって固着されている。
【００１８】
また、左回転停止型と右回転停止型のいずれの態様でも使用できるようにするため、取付フランジの前端面には軸孔２８に関して左右対称に２個の弧状溝３６が設けられており、連結フランジの後端面の突起３５が前記弧状溝３６に係合して、施錠軸３の回転を所定角度に規制する。取付フランジ４の前記凹部９は左右両側を切欠した所謂小判形の断面形状をとるものであり、前記軸孔２８はその中央部に開口している。
厚板状の錠止部材１０も前記凹部９と合致した形状を有し、前記ハンドル係脱溝６が施錠軸３を中央に挟んで左右両側と挿入口３３の手前側に形成されているため、前記突出部１２は３個設けられている。これら突出部１２の中間部には、施錠軸３の挿通孔３８が形成され、錠止部材１０は、施錠軸３の長さ方向に摺動可能になっている。取付フランジ４の前端面と連結フランジ５の後端面は互いに当接している。
【００１９】
取付フランジ４の周側面にリング状溝３９を設け、リング状溝３９にＯ−リング４０を嵌入れると共に、施錠軸３の周側面にも環状溝４１を設け、環状溝４１にＯ−リング４２を嵌め入れてある。Ｏ−リング４０，４２がそれぞれ連結フランジ５の周壁４３の内面と受座本体２の内壁に接触することによって、一定の摩擦力が得られ、キ−ハンドル７の回転操作時に加える力を除去しても、キーハンドル７を当該回転位置に維持することができ、むやみに施錠状態に戻ることがない。また、作動突子８の付け根に弾力性部材より成る案内体４４を設けてあるので、キ−ハンドル７の取り外しの際に扉パネル１を損傷することがない。
【００２０】
本実施例では、錠前ユニット３４の固定ケース３７の左右端面には取付用耳部６６が形成されており、錠前収容部３２の後端部には、取付用耳部６６が収容される段差部６５が形成されている。取付用耳部６６には、固定用ビス５３の挿入孔６９が形成されている。前記段差部６５に連接した取付用ボス部６３には、固定用ビス５３が捻じ込まれる螺子孔６４を形成してある。
固定ケース３７の後端部下側面には位置決め用突起５８が形成されており、取付フランジ４の背面部には位置決め用突起５８が嵌めこまれる受溝５９を形成してある。
ロータ３９の後端部に装着した抜け止め部材４６は、固定ケース３７に形成した係止部４９に係合しており、ロータ３９は固定ケース３７から抜き取り不能に組立てられている。
錠前収容部３２の前端部には、ロータ３９の前端部が嵌め込まれる円形孔６０が形成されている。
【図面の簡単な説明】
【００２１】
【図１】本発明の一実施例に係るキーハンドル抜き差し型扉用ロックハンドル装置のキーハンドル抜き取り状態における正面図である。
【図２】図１の扉用ロックハンドル装置の右側面図である。
【図３】図１の扉用ロックハンドル装置の底面図である。
【図４】図１の扉用ロックハンドル装置の背面図である。
【図５】図１の扉用ロックハンドル装置のＡ−Ａ線断面図である。
【図６】図１の扉用ロックハンドル装置のＢ−Ｂ線断面図である。
【図７】図１の扉用ロックハンドル装置のＣ−Ｃ線断面図である。
【図８】図１の扉用ロックハンドル装置に使用する受座本体の正面図である。
【図９】図８の受座本体の右側面図である。
【図１０】図８の受座本体の背面図である。
【図１１】図８の受座本体の底面図である。
【図１２】図８の受座本体のＤ−Ｄ線断面図である。
【図１３】図８の受座本体のＥ−Ｅ線断面図である。
【図１４】図１の扉用ロックハンドル装置に使用する施錠軸の正面図である。
【図１５】図１４の施錠軸の右側面図である。
【図１６】図１４の施錠軸の背面図である。
【図１７】図１４の施錠軸の底面図である
【図１８】図１４の施錠軸のＦ−Ｆ線断面図である
【図１９】図１６の施錠軸のＧ−Ｇ線断面図である
【図２０】図１６の施錠軸のＨ−Ｈ線断面図である
【図２１】図１の扉用ロックハンドル装置に使用する施錠部材の正面図である。
【図２２】図２１の施錠部材の背面図である。
【図２３】図２１の施錠部材の左側面図である。
【図２４】図１の扉用ロックハンドル装置に使用する錠前ユニットの固定ケースの正面図である。
【図２５】図２４の固定ケースの背面図である。
【図２６】図２４の固定ケースの底面図である。
【図２７】図２４の固定ケースのＩ−Ｉ線断面図である。
【図２８】図２４の固定ケースのＪ−Ｊ線断面図である。
【図２９】図１の扉用ロックハンドル装置に使用するロック板の正面図である。
【図３０】図２９のロック板の右側面図である。
【図３１】図２９のロック板の底面図である。
【図３２】図１の扉用ロックハンドル装置に使用するキーハンドルの正面図である。
【図３３】図３２のキーハンドルの背面図である。
【図３４】図３２のキーハンドルのＫ−Ｋ線断面図である。
【図３５】図３２のキーハンドルの平面図である。
【図３６】図１の扉用ロックハンドル装置のキーハンドルの挿入状態における縦断面図である。
【符号の説明】
【００２２】
１  扉パネル
２  受座本体
３  施錠軸
４  受座本体の取付フランジ
５  施錠軸の連結フランジ
６  ハンドル係脱溝
７  キ−ハンドル
８  キーハンドルの作動突子
９  取付フランジの凹部
１０  錠止部材
１１  圧縮コイルバネ
１２  錠止部材の前面突出部
１３  ハンドル係脱溝内の邪魔突子
１４  連結フランジの邪魔突子
１５  連結フランジの切欠凹部
１６  取付フランジの窪み凹部
１７  連結フランジの邪魔隆起部
１８  キーハンドルの溝
２０  キーハンドルの抜止め突子
２１  キーハンドルの溝
３２  取付フランジの錠前収容部
３３  連結フランジの挿入口
３４  錠前ユニット
３５  連結フランジの回転角度規制用突起
３６  取付フランジの弧状溝
３７  錠前ユニットの固定ケース
３８  受座本体の挿通孔
３９  錠前ユニットのロータ
４３  連結フランジの円筒形周壁
４５  取付フランジのロック受溝
４６  ロータの抜け止め部材
４７  取付フランジの外周隆起部
４９  抜け止め部材用の係止部
５３  固定ケースの固定用ビス
５４  ロータの鍵孔
５５  ロータの偏心カム突起
５６  ロック板のカム溝
５７  連結フランジのロック受溝
５８  固定ケースの位置決め用突起
５９  位置決め用突起の受溝
６０  ロータの嵌め込み孔
６１  固定ケースの待機溝
６２  取付フランジの待機孔
６３  錠前収容部の取付用ボス部
６４  固定用螺子孔
６５  錠前収容部の段差部
６６  固定ケースの取付用耳部
６７  ロック板のガイド溝
６８  抜け止め部材の挿入部
６９  固定ケースのビス挿入孔
７０  ロック板の屈曲板部
【図１】
2008075248.tif 000003
【図２】
2008075248.tif 000004
【図３】
2008075248.tif 000005
【図４】
2008075248.tif 000006
【図５】
2008075248.tif 000007
【図６】
2008075248.tif 000008
【図７】
2008075248.tif 000009
【図８】
2008075248.tif 000010
【図９】
2008075248.tif 000011
【図１０】
2008075248.tif 000012
【図１１】
2008075248.tif 000013
【図１２】
2008075248.tif 000014
【図１３】
2008075248.tif 000015
【図１４】
2008075248.tif 000016
【図１５】
2008075248.tif 000017
【図１６】
2008075248.tif 000018
【図１７】
2008075248.tif 000019
【図１８】
2008075248.tif 000020
【図１９】
2008075248.tif 000021
【図２０】
2008075248.tif 000022
【図２１】
2008075248.tif 000023
【図２２】
2008075248.tif 000024
【図２３】
2008075248.tif 000025
【図２４】
2008075248.tif 000026
【図２５】
2008075248.tif 000027
【図２６】
2008075248.tif 000028
【図２７】
2008075248.tif 000029
【図２８】
2008075248.tif 000030
【図２９】
2008075248.tif 000031
【図３０】
2008075248.tif 000032
【図３１】
2008075248.tif 000033
【図３２】
2008075248.tif 000034
【図３３】
2008075248.tif 000035
【図３４】
2008075248.tif 000036
【図３５】
2008075248.tif 000037
【図３６】
2008075248.tif 000038